(57)【要約】【課題】操作性を高くすることができ、複数の機能を持たせる場合に、包装容器のコストを低くすることができるようにする。【解決手段】包材１８によって形成された包材容器部、包材容器部の上縁に、樹脂によって一体に形成され、上縁に注出口が形成された環状の包囲部、及び注出口を被う剥離性封止体を備えた容器本体と、包囲部に形成されたねじと螺合するねじを備え、剥離性封止体を被って、容器本体に着脱自在に取り付けられる蓋体とを有する。注出口が剥離性封止体によって被われ、蓋体が容器本体に着脱自在に取り付けられるので、一旦、剥離性封止体を引き剥がして容器本体を開封した後、蓋体を容器本体に取り付けることによって、容器本体を再び封止することができるので、包装容器１５の操作性を高くすることができる。【選択図】図１
2008074482.tif 000002
【特許請求の範囲】
【請求項１】
（ａ）包材によって形成された包材容器部、該包材容器部の上縁に、樹脂によって一体に形成され、上縁に注出口が形成された環状の包囲部、及び前記注出口を被う剥離性封止体を備えた容器本体と、
（ｂ）前記包囲部に形成されたねじと螺合するねじを備え、前記剥離性封止体を被って、前記容器本体に着脱自在に取り付けられる蓋体とを有することを特徴とする包装容器。
【請求項２】
（ａ）前記包材は、紙基材、該紙基材に被覆されて最外層を構成する第１の樹脂フィルム、及び前記紙基材に被覆されて最内層を構成する第２の樹脂フィルムを備えた積層構造を有し、
（ｂ）前記包囲部、剥離性封止体、及び前記第１、第２の樹脂フィルムは、相溶性を有する樹脂によって形成される請求項１に記載の包装容器。
【請求項３】
前記剥離性封止体の所定の箇所に、容器本体内の圧力で破断する圧逃し部が形成される請求項１又は２に記載の包装容器。
【請求項４】
（ａ）筒状カートンの一端に、射出成形によって樹脂から成る封止体を一体に形成して封止体付き筒状カートンを形成し、
（ｂ）該封止体付き筒状カートンにボトム部側から流動性食品を充填し、
（ｃ）前記封止体付き筒状カートンのボトム部を加工し、シールして底壁を形成して一次容器を形成し、
（ｄ）前記封止体の破断部を破断させて注出口を形成し、
（ｅ）該注出口を剥離性封止体で被うことによって容器本体を形成し、
（ｆ）前記剥離性封止体を被って、蓋体を容器本体に取り付けることを特徴とする包装容器製造方法。
【請求項５】
（ａ）筒状カートンの一端に、射出成形によって樹脂から成る封止体を一体に形成して封止体付き筒状カートンを形成し、
（ｂ）前記封止体の破断部を破断させて注出口を形成し、
（ｃ）該注出口を剥離性封止体で被って剥離性封止体付き筒状カートンを形成し、
（ｄ）前記剥離性封止体を被って、蓋体を剥離性封止体付き筒状カートンに取り付けて蓋体付き筒状カートンを形成し、
（ｅ）該蓋体付き筒状カートンにボトム部側から流動性食品を充填し、
（ｆ）前記蓋体付き筒状カートンのボトム部を加工し、シールして底壁を形成して包装容器を形成することを特徴とする包装容器製造方法。
【発明の詳細な説明】
【技術分野】
【０００１】
本発明は、包装容器及びその製造方法に関するものである。
【背景技術】
【０００２】
従来、内容物として牛乳、清涼飲料等の液体食品を収容する包装容器において、包装容器本体の上端に、射出成形によって形成され、頂壁を構成する蓋（ふた）体を備えた包装容器が提供されている。なお、この種の包装容器は、包材及び射出成形によって形成された樹脂の部分から成ることから、複合容器とされる。
【０００３】
前記包装容器を製造するに当たり、まず、包材によって、断面が多角形の形状を有する筒状のケーシングが形成され、該ケーシングの一端に、蓋体が射出成形によって一体に、かつ、液密状に形成されて、底部に開口を有するケーシング、すなわち、蓋付きケーシングが形成される。そのために、前記ケーシングの一端を金型装置のキャビティ空間内に臨ませてセットし、溶融させられた成形材料としての樹脂をキャビティ空間に充填（てん）するようにしている。
【０００４】
続いて、前記蓋付きケーシングは、無端コンベヤのバケット内に挿入されて、倒立させられた状態で間欠的に搬送され、前記底部の開口を介して液体食品が充填された後、底部が折り目に沿って折り畳まれ、熱によってシールされて包装容器内が密封される（例えば、特許文献１参照。）。
【特許文献１】特開２００５−１１１６８９号公報
【発明の開示】
【発明が解決しようとする課題】
【０００５】
しかしながら、前記従来の包装容器においては、一旦（いったん）包装容器を開封すると、包装容器を再び封止するのが困難であり、包装容器の操作性が低いだけでなく、複数の機能を持たせようとすると（例えば、電子レンジで加熱することができるようにしたり、保香性を持たせるようにしたりする場合) 、そのための包装容器をそれぞれ作成する必要があり、包装容器のコストが高くなってしまう。
【０００６】
本発明は、前記従来の包装容器の問題点を解決して、操作性を高くすることができ、複数の機能を持たせる場合に、コストを低くすることができる包装容器及びその製造方法を提供することを目的とする。
【課題を解決するための手段】
【０００７】
そのために、本発明の包装容器においては、包材によって形成された包材容器部、該包材容器部の上縁に、樹脂によって一体に形成され、上縁に注出口が形成された環状の包囲部、及び前記注出口を被う剥離性封止体を備えた容器本体と、前記包囲部に形成されたねじと螺合するねじを備え、前記剥離性封止体を被って、前記容器本体に着脱自在に取り付けられる蓋体とを有する。
【発明の効果】
【０００８】
本発明によれば、包装容器においては、包材によって形成された包材容器部、該包材容器部の上縁に、樹脂によって一体に形成され、上縁に注出口が形成された環状の包囲部、及び前記注出口を被う剥離性封止体を備えた容器本体と、前記包囲部に形成されたねじと螺合するねじを備え、前記剥離性封止体を被って、前記容器本体に着脱自在に取り付けられる蓋体とを有する。
【０００９】
この場合、注出口が剥離性封止体によって被われ、該剥離性封止体を被って、蓋体が容器本体に着脱自在に取り付けられるので、一旦、剥離性封止体を引き剥がして容器本体を開封した後、蓋体を容器本体に取り付けることによって、容器本体を再び封止することができるので、包装容器の操作性を高くすることができる。
【００１０】
また、包材、包囲部、剥離性封止体等の樹脂の材料を選択するだけで、複数の機能を持たせることができ、例えば、電子レンジで加熱したり、保香性の機能を持たせたりすることができる。したがって、包装容器のコストを低くすることができる。
【発明を実施するための最良の形態】
【００１１】
以下、本発明の実施の形態について図面を参照しながら詳細に説明する。
【００１２】
図１は本発明の第１の実施の形態における包装容器の製造工程を示すシステム図、図２は本発明の第１の実施の形態における封止体付き筒状カートンの要部を示す斜視図、図３は本発明の第１の実施の形態における一次容器の要部を示す斜視図、図４は本発明の第１の実施の形態における容器本体の要部を示す斜視図、図５は本発明の第１の実施の形態における容器本体の要部及びキャップを示す斜視図である。
【００１３】
図において、１１は包装容器製造装置であり、該包装容器製造装置１１は、充填ライン１２を備え、該充填ライン１２において、セットされたリールＲ１に基づいて、牛乳、清涼飲料等の流動性物質としての液体食品を収容する複合容器としての包装容器１５を製造する。この場合、包装容器１５は、液体食品を電子レンジによって加熱するのに適したものとして製造される。
【００１４】
ところで、前記充填ライン１２において、リールＲ１を図示されない繰出機にセットすることができるようになっていて、前記リールＲ１からウェブ状の包材１８が繰り出される。該包材１８は、図示されない紙基材、該紙基材に被覆されて最外層を構成するポリプロピレン樹脂等から成る第１の樹脂フィルム、及び前記紙基材に被覆されて最内層を構成するポリプロピレン樹脂等から成る図示されない第２の樹脂フィルムを備えた積層構造から成り、必要に応じて、アルミ箔（はく）、ガスバリヤ性樹脂等から成り、ガスバリヤ性を有するバリヤ層が前記紙基材と第２の樹脂フィルムとの間に形成される。
【００１５】
なお、前記ポリプロピレン樹脂は、包装容器１５内の液体食品を電子レンジで加熱することができる樹脂である。
【００１６】
前記包材１８の搬送方向における繰出機より下流側にストリップテープ貼（ちょう）着装置２１が配設され、該ストリップテープ貼着装置２１は、縦シールを行うに当たり、包材１８に液体食品が浸透するのを防止するために、前記第１、第２の樹脂フィルムと相溶性のある樹脂、本実施の形態においては、ポリプロピレン樹脂等から成る図示されないストリップテープを、包材１８の縁部にあらかじめ融着する。
【００１７】
続いて、前記包材１８は、容器成形領域ＡＲ１に送られて、包装容器１５の寸法に対応する長さごとに切断されて、ブランクス２３が形成される。該ブランクス２３には、あらかじめ所定の箇所に折り目が形成され、図示されない成形装置は、ブランクス２３を折り目に沿って折り畳むことによって加工し、断面が円形、多角形等の所定の形状、本実施の形態においては、八角形の形状を有する筒状のカートン、すなわち、筒状カートン２４を形成する。なお、該筒状カートン２４は、その後の工程で一対ずつ処理するために、一対ずつ形成される。
【００１８】
次に、前記各筒状カートン２４は、射出成形領域ＡＲ２に送られ、図２に示されるように、前記射出成形領域ＡＲ２において、筒状カートン２４の一端に、樹脂から成る封止体８１が射出成形によって一体に、かつ、液密状に形成される。その結果、底部に図示されない開口を有し、筒状カートン２４と封止体８１とが一体になった封止体付き筒状カートン２５が形成される。
【００１９】
前記射出成形においては、成形材料として、前記第１、第２の樹脂フィルムと相溶性のある樹脂、本実施の形態においては、前記第１、第２の樹脂フィルムと同じポリプロピレン樹脂等が使用され、封止体８１が形成されたときに、封止体８１と第１、第２の樹脂フィルムとが融着させられる。
【００２０】
なお、前記封止体８１は、筒状カートン２４側の端部（図２に示されるように、封止体付き筒状カートン２５を載置したときの下端）が筒状カートン２４の封止体８１側の端部（図２に示されるように、封止体付き筒状カートン２５を載置したときの上端）と一体的に形成され、上方になるにつれて次第に径が小さくされる傾斜部８２、該傾斜部８２から上方に向けて延び、外周面にねじ（雄ねじ）が形成され、円形の形状を有する首部８３、及び円形の形状を有し、前記首部８３の上縁を閉鎖する閉鎖部８４を備える。
【００２１】
該閉鎖部８４は、前記首部８３の上端の内周縁に沿って形成された円形の破断部８６、及び外周縁の所定の箇所から径方向外方に向けて突出させて形成された摘み部８７を備える。なお、前記破断部８６は、前記ポリプロピレン樹脂等を薄くすることによって形成される。
【００２２】
前記射出成形領域ＡＲ２には、マンドレルユニット３１、射出成形ユニット３２、成形材料供給ユニット３３等から成る封止体付きカートン形成装置が配設される。前記マンドレルユニット３１は、等ピッチ角度（本実施の形態においては、９０〔°〕）で放射状に配設された複数の、本実施の形態においては、４対のマンドレル３５を備え、間欠的に回転させられ、各マンドレル３５を、筒状カートン２４を装填するための装填ステーション、封止体８１を形成するための成形ステーション、封止体付き筒状カートン２５を排出するための排出ステーション、及び空きステーションに置く。
【００２３】
また、射出成形ユニット３２は、射出装置３７、及び前記成形ステーションに配設された金型装置３８を備え、前記射出装置３７は、前記成形材料供給ユニット３３のホッパ３９から供給された前記ポリプロピレン樹脂等のペレットを受け、溶融させて、金型装置３８の図示されないキャビティ空間に充填する。このとき、該キャビティ空間には、筒状カートン２４の封止体８１側の端部が臨ませられる。なお、前記キャビティ空間は封止体８１の形状に対応する形状を有する。
【００２４】
したがって、キャビティ空間内の樹脂を冷却することによって、前記筒状カートン２４の端部に封止体８１が一体に形成され、図２に示されるような封止体付き筒状カートン２５が形成される。
【００２５】
続いて、該封止体付き筒状カートン２５は、前記排出ステーションにおいて図示されないピックアップ装置によってマンドレル３５から取り出され、液体食品を充填するための充填領域ＡＲ３に送られる。
【００２６】
該充填領域ＡＲ３は、図示されない無菌充填室内に形成され、該無菌充填室内において、第１の搬送装置としての無端コンベヤ４１が矢印Ａ方向に走行自在に配設され、前記封止体付き筒状カートン２５は、倒立させられた状態で無端コンベヤ４１に搭載され、底部側から液体食品が充填される。なお、前記無端コンベヤ４１において、同時に一対の封止体付き筒状カートン２５に液体食品を充填することができるようになっている。また、前記無菌充填室内には、無菌媒体としての図示されない滅菌空気が循環させられ、無菌充填室を無菌状態に維持する。
【００２７】
ところで、前記無端コンベヤ４１において、所定の位置、本実施の形態においては、左端の位置に挿入ステーションが設定され、該挿入ステーションにおいて、図示されない挿入装置は、前記封止体８１を先頭にして、保持用のバケット４３内に封止体付き筒状カートン２５を挿入する。
【００２８】
前記挿入ステーションに隣接させて、滅菌ステーション、紫外線照射ステーション及び乾燥ステーションが封止体付き筒状カートン２５の搬送方向に沿って設定され、前記滅菌ステーションにおいて封止体付き筒状カートン２５内が滅菌され、前記紫外線照射ステーションにおいて、紫外線が封止体付き筒状カートン２５の内周面に向けて放射され、封止体付き筒状カートン２５内が滅菌され、前記乾燥ステーションにおいて、熱風が封止体付き筒状カートン２５の内周面に向けて噴射され、封止体付き筒状カートン２５内を乾燥させるとともに、過酸化水素ガスを除去する。
【００２９】
さらに、前記乾燥ステーションに隣接させて、充填ステーションが設定され、該充填ステーションに充填ノズル７４が封止体付き筒状カートン２５と対向させて配設される。
【００３０】
ところで、前記バケット４３は封止体付き筒状カートン２５を倒立させた状態で保持し、前記充填ノズル７４は、前記無菌充填室外に配設され、液体食品を収容するタンク７５と接続され、該タンク７５から供給された液体食品を、倒立させられた状態の封止体付き筒状カートン２５内に所定のタイミングで所定の量だけ充填する。なお、前記充填ノズル７４とタンク７５との間には、サーボフローメータ７６が配設され、該サーボフローメータ７６によって液体食品が計量される。そして、前記充填ノズル７４、タンク７５、サーボフローメータ７６等によって充填装置が構成される。
【００３１】
また、前記充填ステーションに隣接させてボリュームフラップ作動ステーションが設定され、該ボリュームフラップ作動ステーションにおいて、バケット４３内の空間が狭くされ、封止体付き筒状カートン２５が周囲から押さえ込まれ、封止体付き筒状カートン２５の容量が小さくされる。
【００３２】
そして、前記ボリュームフラップ作動ステーションに隣接させてシールステーションが設定され、該シールステーションに図示されない折畳装置、シール装置等が配設され、折畳装置によって、封止体付き筒状カートン２５のボトム部が折り目に沿って折り畳まれて加工され、該ボトム部を折り畳むことによって形成されたシールフィン、三角片部等のシール部分がシールされる。このようにして、図３に示されるように、封止体付き筒状カートン２５の底壁７３が形成され、一次容器９０が完成される。
【００３３】
そして、無端コンベヤ４１の走行方向におけるシールステーションより下流側に、取出ステーションが設定され、該取出ステーションにおいて、図示されない取出機は、バケット４３内から一次容器９０を取り出す。このとき、該一次容器９０は、封止体８１を上に向けて取り出される。空になったバケット４３は搬送され、再び挿入ステーションに送られる。
【００３４】
続いて、一次容器９０は、蓋体取付領域ＡＲ４に送られる。該蓋体取付領域ＡＲ４は、図示されない無菌後処理室内に形成され、該無菌後処理室内に、第２の搬送装置としての図示されないコンベヤ及び蓋体取付装置５９が配設され、前記一次容器９０は、封止体８１を上に向けた状態で搬送され、蓋体取付装置５９に送られる。なお、前記無菌後処理室内には、無菌媒体としての滅菌空気が循環させられ、無菌後処理室を無菌状態に維持する。
【００３５】
前記蓋体取付装置５９内に、図示されない開封装置が配設され、該開封装置は、前記一次容器９０における封止体８１の摘み部８７を把持し、前記破断部８６を破断させることによって閉鎖部８４を引き剥がす。その結果、前記封止体８１において、円形の形状を有する注出口が形成される。本実施の形態においては、摘み部８７を把持し、前記破断部８６を破断させるようになっているが、カッタ等の図示されない切断装置によって注出口を形成することができる。
【００３６】
次に、前記蓋体取付装置５９内において、図示されない密封装置は、前記注出口を被って、剥離容易な剥離性封止体としてのフィルム９１を融着し、注出口をシールし、図４に示されるような容器本体９９を形成する。
【００３７】
前記フィルム９１には、前記第１、第２の樹脂フィルムと相溶性のある樹脂、本実施の形態においては、前記第１、第２の樹脂フィルムと同じポリプロピレン樹脂が使用される。なお、ポリプロピレン樹脂のほかに、電子レンジによる加熱に対応する熱可塑性樹脂、例えば、ナイロン（商品名）、ポリエステル、積層フィルム等を使用することができる。
【００３８】
なお、前記フィルム９１の所定の箇所には、包装容器１５内の液体食品を加熱したときに、容器本体９９内の蒸気の圧力によって容易に破断し、蒸気を逃がす半切れ線、弱め線等の圧逃し部９２が形成される。また、前記フィルム９１の周縁の所定の箇所に、摘み９３が径方向外方に向けて突出させて形成される。
【００３９】
さらに、前記蓋体取付装置５９内に、図示されない蓋体装着装置が配設され、該蓋体装着装置は、図５に示されるように、フィルム９１の上から蓋体としてのキャップ９４を被せ、容器本体９９に取り付ける。このようにして、包装容器１５を完成させることができる。完成した包装容器１５は前記コンベヤによって搬送され、蓋体取付装置５９及び無菌後処理室から排出される。なお、前記キャップ９４は内周面にねじ（雌ねじ）が形成され、キャップ９４を充填ノズル７４に取り付ける際に、前記首部８３のねじと螺合させられる。
【００４０】
前記包装容器１５内の液体食品を電子レンジで加熱する場合、キャップ９４は、取り外されるので、必ずしも、電子レンジによる加熱に対応する樹脂で形成される必要はない。したがって、本実施の形態において、キャップ９４はポリエチレン樹脂によって形成される。
【００４１】
なお、完成された包装容器１５は、容器本体９９及びキャップ９４を備え、前記容器本体９９は、底壁７３を備えるとともに、断面が八角形の形状を有し、包材１８によって形成された包材容器部（筒状カートン２４において底壁７３が形成された状態のもの）、該包材容器部の上縁に、一体に形成された環状の包囲部（封止体８１において閉鎖部８４が引き剥がされて注出口が形成された状態のもの）、及び前記注出口を被うフィルム９１を備える。
【００４２】
このように、本実施の形態においては、注出口がフィルム９１によって被覆され、更にフィルム９１の上からキャップ９４が被せられて容器本体９９に取り付けられるので、一旦、摘み９３を把持し、フィルム９１を引き剥がすことによって容器本体９９を開封した後、キャップ９４を容器本体９９に取り付けることによって、容器本体９９を再び封止することができる。したがって、包装容器１５の操作性を高くすることができる。
【００４３】
また、第１、第２の樹脂フィルム、ストリップテープ、封止体８１、フィルム９１等が同じ樹脂で形成されるので、包装容器１５を、例えば、樹脂の材料を選択するだけで、電子レンジで加熱することができる。  
【００４４】
したがって、包装容器１５のコストを低くすることができる。
【００４５】
次に、本発明の第２の実施の形態について説明する。なお、第１の実施の形態と同じ構造を有するものについては、同じ符号を付与し、同じ構造を有することによる発明の効果については同実施の形態の効果を援用する。
【００４６】
図６は本発明の第２の実施の形態における包装容器の製造工程を示すシステム図、図７は本発明の第２の実施の形態における封止体付き筒状カートンの要部を示す斜視図、図８は本発明の第２の実施の形態における剥離性封止体付き筒状カートンの要部を示す斜視図、図９は本発明の第２の実施の形態における蓋体付き筒状カートンの要部を示す斜視図である。
【００４７】
この場合、包装容器１５は、保香性を有するものとして製造される。そのために、包材１８は、図示されない紙基材、該紙基材に被覆されて最外層を構成するポリエステル樹脂等から成る第１の樹脂フィルム、及び前記紙基材に被覆されて最内層を構成するポリエステル樹脂等から成る第２の樹脂フィルムを備えた積層構造から成り、必要に応じて、アルミ箔、ガスバリヤ性樹脂等から成り、ガスバリヤ性を有するバリヤ層が前記紙基材と第２の樹脂フィルムとの間に形成される。
【００４８】
なお、前記ポリエステル樹脂は、保香性を有し、ガスバリヤ性を有する。ポリエステル樹脂に代えて、無機酸化物の蒸着膜を備えたフィルムを使用することができる。
【００４９】
続いて、包材１８は、容器成形領域ＡＲ１に送られて、ブランクス２３が形成され、図示されない成形装置は、前記ブランクス２３を折り目に沿って折り畳むことによって加工し、筒状カートン２４を形成する。
【００５０】
次に、前記各筒状カートン２４は、射出成形領域ＡＲ２に送られ、該射出成形領域ＡＲ２において、図７に示されるように、筒状カートン２４の一端に、封止体８１が射出成形によって一体に、かつ、液密状に形成され、その結果、封止体付き筒状カートン２５が形成される。なお、成形材料として、前記第１、第２の樹脂フィルムと相溶性のある樹脂、本実施の形態においては、前記第１、第２の樹脂フィルムと同じポリエステル樹脂等が使用され、封止体８１が形成されたときに、該封止体８１と第１、第２の樹脂フィルムとが融着させられる。
【００５１】
なお、前記封止体８１は、傾斜部８２、外周面にねじ（雄ねじ）が形成された首部８３、及び円形の形状を有し、前記首部８３の上縁を閉鎖する閉鎖部８４を備える。
【００５２】
該閉鎖部８４は、前記首部８３の上端の内周縁に沿って形成された円形の破断部８６、及び外周縁の所定の箇所から径方向外方に向けて突出させて形成された摘み部８７を備える。前記破断部８６は、前記ポリエステル樹脂等を薄くすることによって形成される。
【００５３】
前記射出成形領域ＡＲ２には、マンドレルユニット３１、射出成形ユニット３２、成形材料供給ユニット３３等から成る封止体付きカートン形成装置が配設される。
【００５４】
前記射出成形ユニット３２は、射出装置３７、及び封止体８１を形成するための成形ステーションに配設された金型装置３８を備え、前記射出装置３７は、前記成形材料供給ユニット３３のホッパ３９から供給された前記ポリエステル樹脂等のペレットを受け、溶融させて、金型装置３８のキャビティ空間に充填する。
【００５５】
したがって、該キャビティ空間内の樹脂を冷却することによって、前記筒状カートン２４の端部に封止体８１が一体に形成され、図７に示されるような封止体付き筒状カートン２５が形成される。
【００５６】
続いて、封止体付き筒状カートン２５は、マンドレル３５から取り出され、蓋体取付領域ＡＲ５に送られる。該蓋体取付領域ＡＲ５は、図示されない無菌前処理室内に形成され、該無菌前処理室内に、第１の搬送装置としての図示されないコンベヤ及び蓋体取付装置５９が配設され、前記封止体付き筒状カートン２５は、蓋体取付装置５９に送られる。なお、前記無菌前処理室内には、無菌媒体としての図示されない滅菌空気が循環させられ、無菌前処理填室を無菌状態に維持する。
【００５７】
前記蓋体取付装置５９内には図示されない開封装置が配設され、該開封装置は、前記封止体付き筒状カートン２５における封止体８１の摘み部８７を把持し、前記破断部８６を破断させることによって閉鎖部８４を引き剥がす。その結果、前記封止体８１において、円形の形状を有する注出口が形成される。本実施の形態においては、摘み部８７を把持し、前記破断部８６を破断させるようになっているが、カッタ等の切断装置によって注出口を形成することができる。
【００５８】
続いて、前記蓋体取付装置５９内において、図示されない密封装置は、前記注出口を被って、剥離容易な剥離性封止体としてのフィルム９１を融着し、注出口の周縁をシールし、図８に示されるような剥離性封止体付き筒状カートン１０１を形成する。
【００５９】
前記フィルム９１には、イージーピールのラミネート樹脂が使用されるが、前記第１、第２の樹脂フィルムと相溶性のある樹脂、本実施の形態においては、前記第１、第２の樹脂フィルムと同じポリエステル樹脂を使用することができる。また、ポリエステル樹脂のほかに、保香性を有する樹脂を使用することができる。
【００６０】
なお、前記フィルム９１の周縁の所定の箇所に、摘み９３が径方向外方に向けて突出させて形成される。したがって、該摘み９３を把持し、前記フィルム９１を引き剥がすことによって注出口を開口させ、包装容器１５を開封することができる。
【００６１】
さらに、前記蓋体取付装置５９内には、図示されない蓋体装着装置が配設され、該蓋体装着装置は、フィルム９１の上から蓋体としてのキャップ９４を被せ、剥離性封止体付き筒状カートン１０１に取り付けることによって、図９に示されるような蓋体付き筒状カートン９８を形成する。
【００６２】
続いて、該蓋体付き筒状カートン９８は、液体食品を充填するための充填領域ＡＲ３に送られる。
【００６３】
該充填領域ＡＲ３は、図示されない無菌充填室内に形成され、該無菌充填室内において、第２の搬送装置としての無端コンベヤ４１が矢印Ａ方向に走行自在に配設され、前記蓋体付き筒状カートン９８は、倒立させられた状態で無端コンベヤ４１に搭載され、底部側から液体食品が充填される。なお、前記無端コンベヤ４１においては、同時に一対の蓋体付き筒状カートン９８に液体食品を充填することができるようになっている。
【００６４】
そして、蓋体付き筒状カートン９８においては、折畳装置によって、蓋体付き筒状カートン９８のボトム部が折り目に沿って折り畳まれて加工され、加工に伴って形成されたシールフィン、三角片部等のシール部分がシールされる。このようにして、蓋体付き筒状カートン９８の底壁７３が形成され、包装容器１５が完成される。
【００６５】
次に、バケット４３内から完成した包装容器１５が取り出され、図示されないコンベヤによって搬送され、排出される。
【００６６】
なお、完成された包装容器１５は、容器本体９９及びキャップ９４を備え、前記容器本体９９は、底壁７３を備え、断面が八角形の形状を有し、包材１８によって形成された包材容器部（筒状カートン２４において底壁７３が形成された状態のもの）、該包材容器部の上縁に、一体に形成された環状の包囲部（封止体８１において閉鎖部８４が引き剥がされて注出口が形成された状態のもの）、及び前記注出口を被うフィルム９１を備える。
【００６７】
このように、本実施の形態においては、注出口がフィルム９１によって被覆され、更にフィルム９１の上からキャップ９４が容器本体９９に取り付けられるので、一旦、フィルム９１を引き剥がすことによって包装容器１５を開封した後、キャップ９４を容器本体９９に取り付けることによって、包装容器１５を再び封止することができる。したがって、包装容器１５の操作性を高くすることができる。
【００６８】
また、第１、第２の樹脂フィルム、ストリップテープ、封止体８１等が同じ樹脂で形成されるので、包装容器１５に、例えば、樹脂の材料を選択するだけで、保香性の機能を持たせることができる。
【００６９】
したがって、包装容器１５のコストを低くすることができる。
【００７０】
なお、本発明は前記各実施の形態に限定されるものではなく、本発明の趣旨に基づいて種々変形させることが可能であり、それらを本発明の範囲から排除するものではない。
【図面の簡単な説明】
【００７１】
【図１】本発明の第１の実施の形態における包装容器の製造工程を示すシステム図である。
【図２】本発明の第１の実施の形態における封止体付き筒状カートンの要部を示す斜視図である。
【図３】本発明の第１の実施の形態における一次容器の要部を示す斜視図である。
【図４】本発明の第１の実施の形態における容器本体の要部を示す斜視図である。
【図５】本発明の第１の実施の形態における容器本体の要部及びキャップを示す斜視図である。
【図６】本発明の第２の実施の形態における包装容器の製造工程を示すシステム図である。
【図７】本発明の第２の実施の形態における封止体付き筒状カートンの要部を示す斜視図である。
【図８】本発明の第２の実施の形態における剥離性封止体付き筒状カートンの要部を示す斜視図である。
【図９】本発明の第２の実施の形態における蓋体付き筒状カートンの要部を示す斜視図である。
【符号の説明】
【００７２】
１５    包装容器
１８    包材
９１    フィルム
９４    キャップ
９９    容器本体
【図１】
2008074482.tif 000003
【図２】
2008074482.tif 000004
【図３】
2008074482.tif 000005
【図４】
2008074482.tif 000006
【図５】
2008074482.tif 000007
【図６】
2008074482.tif 000008
【図７】
2008074482.tif 000009
【図８】
2008074482.tif 000010
【図９】
2008074482.tif 000011